(57)【要約】【課題】タッチ操作によるレベル調整において、操作を煩雑にせずに、誤操作を抑制することができる。【解決手段】スマートフォンＳと通信可能な通信部４１と、通信部４１を介して、スマートフォンＳから入力した音声信号を再生する再生部４２と、音声信号の音量調整を実施する音声処理部４３と、タッチセンサーで構成され、音声処理部４３のレベル調整を操作するための音量操作部と、を備え、音量操作部には、操作の起点となると共に操作を有効とする操作開始領域５１が設定されている。【選択図】図６
2014049803.tif 000002
【特許請求の範囲】
【請求項１】
携帯端末と通信可能な通信部と、
前記通信部を介して、前記携帯端末から入力した音声信号を再生する再生部と、
前記音声信号における音声処理のレベル調整を実施する音声処理部と、
前記音声処理部のレベル調整を操作するためのタッチセンサー部と、を備え、
前記タッチセンサー部には、前記操作の起点となると共に前記操作を有効とする操作開始領域が設定されていることを特徴とするオーディオ装置。
【請求項２】
前記操作開始領域を２つ備え、
前記２つの操作開始領域のうちの一方の操作開始領域は、前記レベル調整におけるレベルアップの操作の起点となり、
前記２つの操作開始領域のうちの他方の操作開始領域は、前記レベル調整におけるレベルダウンの操作の起点となることを特徴とする請求項１に記載のオーディオ装置。
【請求項３】
横長平板状の筐体を、更に備え、
前記タッチセンサー部は、前記筐体を横断するように延在し、
前記２つの操作開始領域は、前記タッチセンサー部の両端部に設定されていることを特徴とする請求項２に記載のオーディオ装置。
【請求項４】
前記音声処理のレベル調整が、音量調整であることを特徴とする請求項３に記載のオーディオ装置。
【請求項５】
矩形平板状の外観を有すると共に、前記通信部、前記再生部、前記音声処理部および前記タッチセンサー部を搭載したコントロール機器と、
矩形平板状の外観を有すると共に、スピーカー部を搭載した出力機器と、を更に備え、
前記コントロール機器と前記出力機器とは、相互の接合部において着脱自在に接合されていることを特徴とする請求項２に記載のオーディオ装置。
【請求項６】
前記コントロール機器と前記出力機器とは、接合状態で、前記出力機器を斜め上向きとし、且つ前記コントロール機器の１の辺と前記出力機器の１の辺とが脚部を構成するように、交差した外観形状に形成されていることを特徴とする請求項５に記載のオーディオ装置。
【請求項７】
前記出力機器の前方に位置して前記コントロール機器の表面には、前記携帯端末が着脱自在に接続されると共に前記通信部に連なる端末接続部が配設されていることを特徴とする請求項６に記載のオーディオ装置。
【請求項８】
前記コントロール機器の前面には、前記タッチセンサー部が配設されていることを特徴とする請求項６に記載のオーディオ装置。
【請求項９】
前記出力機器の表面には、前記タッチセンサー部が配設されていることを特徴とする請求項６に記載のオーディオ装置。
【発明の詳細な説明】
【技術分野】
【０００１】
本発明は、スマートフォン等の携帯端末から入力した音声信号を再生するオーディオ装置に関するものである。
【背景技術】
【０００２】
従来、この種のオーディオ装置として、携帯端末（携帯電話機）に接続され、携帯端末からの音声信号（音楽信号）を受けるスピーカー入力コネクタと、音声信号を、高音域、中音域、低音域に分離し、増幅して分配するスピーカーアンプと、分離・増幅された音声信号を受け、これを出力する複数のスピーカーと、を備えたドッキングシステムが知られている（特許文献１参照）。このドッキングシステムでは、スピーカーアンプが、スピーカー毎の音量調整手段を備えており、ユーザーは、筐体上に配置された操作ツマミを操作することで、各スピーカーから出力される音量を調整することができる。
【先行技術文献】
【特許文献】
【０００３】
【特許文献１】特開２００６−９４３６７号公報
【発明の概要】
【発明が解決しようとする課題】
【０００４】
ところで、上記従来の構成では、筐体上の操作ツマミによって音量を調整する構成であったが、オーディオ装置のデザイン性の観点から、タッチセンサーによって、音量調整を行うものが考えられる。しかしながら、単に筐体上にタッチセンサーを配置すると、不慮の接触により誤操作を起こしてしまい、意図せずに音量が変化してしまうという問題があった。操作ツマミであれば、操作ツマミのトルク（重さ）を調整することで、誤操作を防止することができたが、タッチセンサーでは、このような対策も不可能である。そこで、筐体上に操作ロックのロック解除ボタンを配置し、ロック解除ボタンが押された後のみ、タッチ操作を有効とすることが考えられる。しかしながら、かかる構成では、２ステップ（２アクション）の操作が必要であるため、操作が煩雑になってしまうという問題が生ずる。
【０００５】
本発明は、タッチ操作によるレベル調整において、操作を煩雑にせずに、誤操作を抑制することができるオーディオ装置を提供することを課題としている。
【課題を解決するための手段】
【０００６】
本発明のオーディオ装置は、携帯端末と通信可能な通信部と、通信部を介して、携帯端末から入力した音声信号を再生する再生部と、音声信号における音声処理のレベル調整を実施する音声処理部と、音声処理部のレベル調整を操作するためのタッチセンサー部と、を備え、タッチセンサー部には、操作の起点となると共に操作を有効とする操作開始領域が設定されていることを特徴とする。
【０００７】
この構成によれば、操作開始領域を操作の起点とした操作（例えばスライド操作）のみを有効とする（操作ロックを解除する）ことで、不慮の接触による誤操作を抑えることができる。また、１ステップで操作可能であるため、操作が煩雑になることがない。このように、タッチ操作によるレベル調整において、操作を煩雑にせずに、誤操作を抑制することができる。
【０００８】
この場合、操作開始領域を２つ備え、２つの操作開始領域のうちの一方の操作開始領域は、レベル調整におけるレベルアップの操作の起点となり、２つの操作開始領域のうちの他方の操作開始領域は、レベル調整におけるレベルダウンの操作の起点となることが好ましい。
【０００９】
これらの構成によれば、レベル調整（音量調整）におけるレベルアップの操作とレベルダウンの操作とで操作開始領域が異なるので、レベルダウンの操作を行うつもりが、誤ってレベルアップの操作を行ってしまうのを避けることができる。よって、誤操作をより抑えることができる。
【００１０】
この場合、横長平板状の筐体を、更に備え、タッチセンサー部は、筐体を横断するように延在し、２つの操作開始領域は、タッチセンサー部の両端部に設定されていることが好ましい。
【００１１】
この場合、音声処理のレベル調整が、音量調整であることが好ましい。
【００１２】
この構成によれば、操作開始領域が筐体の端部になるため、操作開始領域が中央部に設けられているのに比べ、不意の接触が生じにくく、誤操作をより抑えることができる。また、操作開始領域が筐体の端部にあれば、ユーザーが認識しやすい。よって、操作性を向上することができる。
【００１３】
また、矩形平板状の外観を有すると共に、通信部、再生部、音声処理部およびタッチセンサー部を搭載したコントロール機器と、矩形平板状の外観を有すると共に、スピーカー部を搭載した出力機器と、を更に備え、コントロール機器と出力機器とは、相互の接合部において着脱自在に接合されていることが好ましい。
【００１４】
この場合、コントロール機器と出力機器とは、接合状態で、出力機器を斜め上向きとし、且つコントロール機器の１の辺と出力機器の１の辺とが脚部を構成するように、交差した外観形状に形成されていることが好ましい。
【００１５】
これらの構成によれば、デザイン性の高いオーディオ装置を提供することができる。また、コントロール機器および出力機器をそれぞれ複数種用意し、これを選択可能とすることで、ユーザーによるカスタム性を向上することができる。
【００１６】
この場合、出力機器の前方に位置してコントロール機器の表面には、携帯端末が着脱自在に接続されると共に通信部に連なる端末接続部が配設されていることが好ましい。
【００１７】
この構成によれば、携帯端末を前方位置に装着し、且つその操作面を前方向きになるように装着することができるので、装着状態で携帯端末を操作する際にも、操作しやすい。
【００１８】
上記のオーディオ装置において、コントロール機器の前面には、タッチセンサー部が配設されていることが好ましい。
【００１９】
この構成によれば、オーディオ装置全体からユーザー側に突き出したコントロール部の前面に、タッチセンサー部を設けることで、ユーザー側からタッチ操作がしやすくなる。
【００２０】
上記のオーディオ装置において、出力機器の表面には、タッチセンサー部が配設されていることが好ましい。
【００２１】
この構成によれば、斜め上向きの出力機器の表面に、タッチセンサー部を設けることで、ユーザー側からタッチ操作がしやすくなる。
【図面の簡単な説明】
【００２２】
【図１】本発明の一実施形態に係るオーディオ装置を示した斜視図（ａ）および断面図（ｂ）である。
【図２】オーディオ装置のスピーカー機器（ａ）およびアンプ機器（ｂ）を示した平面図である。
【図３】スピーカー機器およびアンプ機器の接合構造を示した斜視図である。
【図４】オーディオ装置の内部構成を示したブロック図である。
【図５】音量操作部廻りを示した図である。
【図６】オーディオ装置による音量調整動作を示したフローチャートである。
【図７】音量調整の操作を示した説明図である。
【発明を実施するための形態】
【００２３】
以下、添付の図面を参照して、本発明の一実施形態に係るオーディオ装置について説明する。本実施形態では、本発明を適用したオーディオ装置を例示する。このオーディオ装置は、スマートフォン（携帯端末）を装着し、スマートフォンからの音声信号を出力するスマートフォン用の音声出力装置（いわゆるドックスピーカー）である。特に、本オーディオ装置は、タッチセンサーで構成された音量操作部を備え、そのタッチ操作における誤操作を抑制する機能を有している。
【００２４】
図１に示すように、オーディオ装置１は、矩形平板状の外観を有するスピーカー機器（出力機器）１１と、矩形平板状の外観を有すると共に、スマートフォンＳを装着するアンプ機器（コントロール機器）１２と、を備え、これらを相互の接合部２５、３５において着脱自在に接合して構成されている。また、オーディオ装置１は、スピーカー機器１１およびアンプ機器１２を側面視で直交するように接合して成る。
【００２５】
図１および図２に示すように、スピーカー機器１１は、横長の矩形平板状の筐体２１により外観が形成されており、表面側が斜め上向きとなるように、斜めに配設されている。すなわち、スピーカー機器１１は、表面側がユーザーを向くように配設されている。また、スピーカー機器１１の表面側には、平面スピーカーで構成されたスピーカー部２２が配設されており、スピーカー部２２が斜め上（ユーザー側）を向いた構成となっている。一方、スピーカー機器１１の裏面側には、ＯＬＥＤ（有機ＥＬダイオードのアレイ）で構成された照明部２３が配設されている。
【００２６】
また、図２および図３に示すように、スピーカー機器１１には、そのアンプ機器１２との交差部分に、アンプ機器１２を接合するための接合部２５が配設されている。スピーカー機器１１の接合部２５は、筐体２１の上記交差部分に形成されたスリット部２５ａと、スリット部２５ａの端面に接合方向に向くように配設された雌側のコネクタ２５ｂと、を有している。スリット部２５ａは、上記交差部分において、筐体２１の一部をアンプ機器１２の厚みに相当する幅で横断方向にスリット状に除去して形成したものである。
【００２７】
図１および図２に示すように、アンプ機器１２は、横長の矩形平板状の筐体３１により外観が形成されており、スピーカー機器１１に直交するように、斜めに配設されている。また、アンプ機器１２の表面には、スピーカー機器１１の前方に位置して、スマートフォンＳを装着（着脱自在に接続）するドック部（端末接続部）３２が配設されている。装着されたスマートフォンＳは、ドック部３２により、スピーカー機器１１に倣って配設されている。これにより、スマートフォンＳが斜め上向き（ユーザー向き）に配設されている。さらに、アンプ機器１２の前端面には、タッチセンサーで構成されると共に、音量調整を操作するための音量操作部（タッチセンサー部）３３が配設されている。なお、音量操作部３３とスマートフォンＳの操作面とは、相互に平行になっている。
【００２８】
また、アンプ機器１２の表面における、スピーカー機器１１の前方の領域は、鍵や装飾品等の各種携帯品を置く小物置き部３４となっている。小物置き部３４は、ドック部３２廻りに配設されているため、ドック部３２に装着したスマートフォンＳと共に、各種携帯品を置いておくことができる。なお、筐体３１の表面が傾斜しているので、小物置き部３４は、スピーカー機器１１に向かって低くなるように傾斜している。その結果、置いた携帯品が落下しないように構成されている。
【００２９】
さらに、図２および図３に示すように、アンプ機器１２には、そのスピーカー機器１１との交差部分に、スピーカー機器１１を接合するための接合部３５が配設されている。アンプ機器１２の接合部３５は、筐体３１の上記交差部分に形成されたスリット部３５ａと、スリット部３５ａの端面に接合方向に向くように配設された雄側のコネクタ３５ｂと、を有している。スリット部３５ａは、上記交差部分において、筐体３１の一部をスピーカー機器１１の厚みに相当する幅で横断方向にスリット状に除去して形成したものである。
【００３０】
図１に示すように、オーディオ装置１では、両スリット部２５ａ、３５ａを横断方向において相互に嵌め合わせることで、スピーカー機器１１およびアンプ機器１２が着脱自在に接合される。そして、スピーカー機器１１とアンプ機器１２とは、接合状態で、直交した外観形状（断面プラス形状）となり、スピーカー機器１１の１の辺（下端部）とアンプ機器１２の１の辺（後端部）とが脚部を構成する。すなわち、アンプ機器１２は、斜め上向きのスピーカー機器１１を支えるスタンドとしても機能している。また、両スリット部２５ａ、３５ａを嵌め合わせることで、これに伴って両コネクタ２５ｂ、３５ｂが接続され、スピーカー機器１１およびアンプ機器１２が電気的に接続（リンク）される。
【００３１】
次に図４を参照して、スピーカー機器１１およびアンプ機器１２の内部構成について説明する。図４に示すように、スピーカー機器１１は、内部装置として、上記のスピーカー部２２、照明部２３およびコネクタ２５ｂを備えている。スピーカー部２２は、無指向性の平面スピーカー（ＨＶＴ方式）で構成されており、アンプ機器１２から転送された音声信号を、無指向で音声出力（放音）する。照明部２３は、ＯＬＥＤで構成されており、オーディオ装置１背面の壁を利用して間接照明を行う。
【００３２】
アンプ機器１２は、内部装置として、上記のドック部３２、音量操作部３３およびコネクタ３５ｂと、音声信号を増幅するアンプ部３６と、スマートフォンＳと通信可能な通信部４１と、オーディオ装置１の各部を制御する制御部３７と、を備えている。通信部４１は、ドック部３２に連なり、ドック部３２を介して、スマートフォンＳとの通信を行うものであり、主に、スマートフォンＳからのコンテンツ（音声信号）を受信する。
【００３３】
図５に示すように、音量操作部３３は、筐体３１の前端面をタッチ領域とするタッチセンサーで構成されている。すなわち、音量操作部３３は、筐体３１を横断するように延在している。これに対し、音量調整は、音量操作部３３上にタッチした指を横断方向にスライド移動させるスライド操作によって行われる。
【００３４】
また、音量操作部３３の横断方向両端部には、２つの操作開始領域５１が設定されている。操作開始領域５１は、上記スライド操作の起点となる領域であり、上記スライド操作を有効とする領域である。すなわち、操作開始領域５１へのタッチ（指の接触）が、そのタッチを起点とするスライド操作を有効にするトリガーとなっている。また、２つの操作開始領域５１のうちの左端部に設定された操作開始領域５１は、音量を上昇させる操作（以下、上昇操作）の起点となる上昇操作開始領域５１ａである。一方、右端部に設定された操作開始領域５１は、音量を下降させる操作（以下、下降操作）の起点となる下降操作開始領域５１ｂである。
【００３５】
図４に示すように、制御部３７は、再生部４２と、音声処理部４３と、を備えている。再生部４２は、スマートフォンＳからの音声信号（コンテンツ）を再生する。具体的には、再生部４２は、通信部４１を介してスマートフォンＳから入力した音声信号を受信し、アンプ部３６を介して、スピーカー機器１１に転送する。その結果、スピーカー機器１１は、スピーカー部２２により、再生した音声信号を出力する。
【００３６】
音声処理部４３は、音量操作部３３へのタッチ操作（上記スライド操作）に伴って、再生される音声信号の音量調整（音声処理のレベル調整）を実施する。具体的には、音声処理部４３は、上記スライド操作に伴って、通信部４１により、音量の変更（調整）を指示する音量調整信号を送信して、スマートフォンＳから転送される音声信号の音量を調整する。また、スライド操作が、操作開始領域５１を起点としたものであるか否かに基づいて、そのスライド操作を有効／無効に設定する。さらに、スライド操作が、上昇操作開始領域５１ａを起点としたものである場合には、音量を上昇調整する音量調整信号を送信し、スライド操作が、下降操作開始領域５１ｂを起点としたものである場合には、音量を下降調整する音量調整信号を送信する。
【００３７】
ここで図６および図７を参照して、オーディオ装置１による音量調整動作について説明する。なお、本音量調整動作は、ユーザーによる音量操作部３３への上記スライド操作に伴って実行されるものである。そして、本音量調整動作は、スライド操作の起点となるタッチに起因して行われる。
【００３８】
図６に示すように、オーディオ装置１は、音量操作部３３へのタッチを検出すると（Ｓ１：Ｙｅｓ）、音声処理部４３により、そのタッチ位置が、操作開始領域５１であるか否かを判定する（Ｓ２）。タッチ位置が操作開始領域５１でないと判定された場合（Ｓ２：Ｎｏ）には、当該タッチを起点としたスライド操作を無効に設定し（Ｓ３）、本動作を終了する。
【００３９】
一方、タッチ位置が、操作開始領域５１である場合（Ｓ２：Ｙｅｓ）には、当該タッチを起点としたスライド操作を有効に設定し（Ｓ４）、そのスライド操作の検出待ち状態（Ｓ５）に移行する。その後、当該タッチを起点とするスライド操作を検出したら（Ｓ５：Ｙｅｓ）、スライド操作の起点となるタッチ位置が、上昇操作開始領域５１ａであるか、下降操作開始領域５１ｂであるかを判定する（Ｓ６）。
【００４０】
判定の結果、タッチ位置が、上昇操作開始領域５１ａである場合（Ｓ６：Ｙｅｓ）には、図７（ａ）に示すような音量の上昇操作であると判断し、スライド操作における、上昇操作開始領域５１ａからのスライド量Ｌ１を検出する（Ｓ７）。当該スライド量Ｌ１は、上昇操作開始領域５１ａにタッチした指の、向かって横断方向右側への移動量である。当該スライド量Ｌ１を検出したら、スライド量Ｌ１に応じた値だけ音量の上昇調整を行う音量調整信号を、スマートフォンＳに送信する（Ｓ８）。これを受けたスマートフォンＳは、音量調整信号に従って、転送する音声信号の音量を上昇調整する（ボリュームアップ）。この結果、スピーカー部２２から出力される音声の音量が上昇される。
【００４１】
一方、判定の結果、タッチ位置が、下降操作開始領域５１ｂである場合（Ｓ６：Ｙｅｓ）には、図７（ｂ）に示すような音量の下降操作であると判断し、スライド操作における、下降操作開始領域５１ｂからのスライド量Ｌ２を検出する（Ｓ９）。当該スライド量Ｌ２は、下降操作開始領域５１ｂにタッチした指の、向かって横断方向左側への移動量である。当該スライド量Ｌ２を検出したら、スライド量Ｌ２に応じた値だけ音量の下降調整を行う音量調整信号を、スマートフォンＳに送信する（Ｓ１０）。これを受けたスマートフォンＳは、音量調整信号に従って、転送する音声信号の音量を下降調整する（ボリュームダウン）。この結果、スピーカー部２２から出力される音声が下降される。
【００４２】
以上のような構成によれば、操作開始領域５１を操作の起点とした操作のみを有効とする（操作ロックを解除する）ことで、不慮の接触による誤操作を抑えることができる。また、１ステップで操作可能であるため、操作が煩雑になることがない。このように、タッチ操作による音量調整（レベル調整）において、操作を煩雑にせずに、誤操作を抑制することができる。
【００４３】
また、音量調整（レベル調整）における音量の上昇操作と下降操作とで操作開始領域５１が異なるので、下降操作を行うつもりが、誤って上昇操作を行ってしまうのを避けることができる。よって、誤操作をより抑えることができる。
【００４４】
さらに、２つの操作開始領域５１（上昇操作開始領域５１ａおよび下降操作開始領域５１ｂ）は、音量操作部３３の両端部に設定されていることで、操作開始領域５１が筐体３１の端部になるため、操作開始領域５１が中央部に設けられているのに比べ、不意の接触が生じにくく、誤操作をより抑えることができる。また、操作開始領域５１が筐体３１の端部にあることで、ユーザーが認識しやすい。よって、操作性を向上することができる。
【００４５】
またさらに、スピーカー機器１１の前方に位置してアンプ機器１２の表面に、ドック部３２が配設されていることで、スマートフォンＳを前方位置に装着し、且つその操作面を前方向きになるように装着することができるので、装着状態でスマートフォンＳを操作する際にも、操作しやすい。
【００４６】
また、オーディオ装置１全体からユーザー側に突き出したアンプ機器１２の前端面に、音量操作部３３を設けることで、ユーザー側からタッチ操作がしやすくなる。
【００４７】
なお、本実施形態においては、音量操作部３３を、アンプ機器１２の前端面に配設した構成であったが、音量操作部３３を、スピーカー機器１１の表面に配設する構成であっても良い。かかる構成によれば、斜め上向きのスピーカー機器１１の表面に、音量操作部３３を設けることで、ユーザー側からタッチ操作がしやすくなる。
【００４８】
また、本実施形態においては、音声処理部４３が、操作信号（音量調整信号）をスマートフォンＳに送信し、スマートフォンＳ側で音量を調整する構成であったが、オーディオ装置１側で、スマートフォンＳから転送された音声信号を処理し、音量を調整する構成であっても良い。
【００４９】
さらに、音量操作部３３の操作に伴って、音声信号の音量調整を行う構成であったが、音声信号の音声処理のレベル調整を行う構成であれば、これに限るものではない。例えば、音量操作部３３の操作に伴って、音声信号のＢＰＭ（Ｂｅａｔｓ  Ｐｅｒ  Ｍｉｎｕｔｅ）の調整や、音声信号の音調の調整を行う構成であっても良い。
【００５０】
またさらに、本実施形態においては、外部接続のスマートフォンＳを接続するオーディオ装置１に本発明を適用したが、ソース機器（ＣＤプレイヤー等）を内蔵したオーディオ装置１に本発明を適用しても良い。
【符号の説明】
【００５１】
１：オーディオ装置、  １１：スピーカー機器、  １２：アンプ機器、  ２２：スピーカー部、  ２５：接合部、  ３１：筐体、  ３２：ドック部、  ３３：音量操作部、  ３５：接合部、  ４１：通信部、  ４２：再生部、  ４３：音声処理部、  ５１：操作開始領域、  Ｓ：スマートフォン
【図１】
2014049803.tif 000003
【図２】
2014049803.tif 000004
【図３】
2014049803.tif 000005
【図４】
2014049803.tif 000006
【図５】
2014049803.tif 000007
【図６】
2014049803.tif 000008
【図７】
2014049803.tif 000009